【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
印刷データに添付されたフィルタ情報により特定されるフィルタモジュールを用いて当該印刷データの変換処理を行う変換処理手段と、
前記変換処理手段により使用されたフィルタモジュールを特定するためのフィルタ情報を保存する履歴保存手段と、
前記履歴保存手段により保存された前記フィルタ情報を読み出して前記印刷データに添付するフィルタ再指定手段と
を備えることを特徴とする印刷システム。
【請求項２】
印刷設定に応じて利用するフィルタモジュールを決定して該フィルタモジュールを特定するフィルタ情報を印刷データに添付するフィルタ指定手段をさらに備え、
前記フィルタ指定手段により添付されるフィルタ情報にはバージョン情報が含まれず、前記フィルタ再指定手段により添付されるフィルタ情報にはバージョン情報が含まれており、
前記変換処理手段は、前記フィルタ情報にバージョン情報が含まれる場合には該当するバージョンの該当するフィルタモジュールを用い、前記フィルタ情報にバージョン情報が含まれない場合には該当する最新のバージョンのフィルタモジュールを用いて印刷データの変換処理を行うことを特徴とする請求項１に記載の印刷システム。
【請求項３】
前記履歴保存手段に保存されたフィルタ情報を読み出して、読み出したフィルタ情報を、特定のファイルフォルダに関連づけて保存する手段を更に備え、
前記フィルタ再指定手段は、前記特定のファイルフォルダに印刷対象の文書データファイルが投入されると、該文書データファイルに基づいて生成した印刷データに、前記特定のファイルフォルダに関連づけて保存されたフィルタ情報を添付することを特徴とする請求項１または２に記載の印刷システム。
【請求項４】
前記印刷システムはホスト装置と印刷装置とを含み、
前記変換処理手段および前記フィルタ再指定手段は前記ホスト装置に属することを特徴とする請求項１乃至３のいずれか１項に記載の印刷システム。
【請求項５】
前記印刷システムはホスト装置と印刷装置とを含み、
前記フィルタ再指定手段は前記ホスト装置に属し、前記変換処理手段は前記印刷装置に属することを特徴とする請求項１乃至３のいずれか１項に記載の印刷システム。
【請求項６】
前記印刷システムはホスト装置と印刷装置とを含み、前記変換処理手段および前記フィルタ再指定手段は前記ホスト装置に属し、
さらに前記印刷装置に属する、印刷データに添付されたフィルタ情報により特定されるフィルタモジュールを用いて当該印刷データの変換処理を行う第２の変換処理手段を備え、
前記履歴保存手段は、前記変換処理手段及び前記第２の変換処理手段により使用されたそれぞれのフィルタモジュールを特定するためのそれぞれのフィルタ情報を保存することを特徴とする請求項１乃至３のいずれか１項に記載の印刷システム。
【請求項７】
前記履歴保存手段は、前記印刷装置に属することを特徴とする請求項４乃至６のいずれか１項に記載の印刷システム。
【請求項８】
利用者の操作に応じて前記履歴保存手段により保存されたフィルタ情報を編集して、印刷に用いるフィルタモジュールを変更することができる編集手段をさらに備えることを特徴とする請求項１乃至７のいずれか１項に記載の印刷システム。
【請求項９】
１つ以上のプリンタに対して印刷ジョブを実行可能な文書管理システムであって、
印刷が実行された際にその印刷ジョブがプリンタドライバ内部で使用したドライバフィルタ情報を指定されたプリンタへ送信するドライバフィルタ情報送信手段と、
前記ドライバフィルタ情報送信手段が送信したドライバフィルタ情報と前記印刷ジョブが前記プリンタ内部で使用したデバイスフィルタ情報とをあわせたフィルタ情報履歴を、前記プリンタ内部に記憶するフィルタ情報履歴記憶手段と、
前記プリンタ内部から前記フィルタ情報履歴を取得して前記文書管理システム内に保存するフィルタ情報履歴取得手段と、
前記文書管理システム内に保存されたフィルタ情報履歴をユーザに提示するフィルタ情報履歴提示手段とを備え、
前記フィルタ情報履歴提示手段を指定して印刷ジョブが実行された際に、保存しているフィルタ情報履歴に従ってプリンタドライバ内部のドライバフィルタとプリンタ内部のデバイスフィルタを使用して印刷ジョブを実行することを特徴とする文書管理システム。
【請求項１０】
前記ドライバフィルタまたは前記デバイスフィルタが出力結果のレイアウト変換処理を行うモジュールであることを特徴とする請求項９に記載の文書管理システム。
【請求項１１】
前記ドライバフィルタまたは前記デバイスフィルタが出力結果のスタンプ処理を行うモジュールであることを特徴とする請求項９に記載の文書管理システム。
【請求項１２】
前記フィルタ情報履歴提示手段がホットフォルダであることを特徴とする請求項９から請求項１１のいずれか１項に記載の文書管理システム。
【請求項１３】
前記フィルタ情報履歴提示手段に対して、ユーザからの設定変更を受け付ける表示処理を制御するフィルタ情報履歴設定変更表示制御手段を備えることを特徴とする請求項９から請求項１２のいずれか１項に記載の文書管理システム。
【請求項１４】
前記フィルタ情報履歴設定変更表示制御手段では設定フィルタ情報をフィルタごとにアイコン表示することを特徴とする請求項１３に記載の文書管理システム。
【請求項１５】
前記フィルタ情報履歴提示手段では使用するフィルタを実現可能なプリンタを一覧表示することを特徴とする請求項１３または１４に記載の文書管理システム。
【請求項１６】
変換処理手段が、印刷データに添付されたフィルタ情報により特定されるフィルタモジュールを用いて当該印刷データの変換処理を行う変換処理工程と、
履歴保存手段が、前記変換処理部により使用されたフィルタモジュールを特定するためのフィルタ情報を記憶部に保存する履歴保存工程と、
再指定手段が、前記履歴保存工程により保存された前記フィルタ情報を読み出して前記印刷データに添付するフィルタ再指定工程と
を備えることを特徴とする印刷制御方法。
【請求項１７】
請求項１６に記載の印刷制御方法をコンピュータにより実行させるためのプログラム。
【請求項１８】
印刷装置に印刷データを渡して印刷を行わせる情報処理装置であって、
印刷データに添付されたフィルタ情報により特定されるフィルタモジュールを用いて当該印刷データの変換処理を行う変換処理手段と、
前記変換処理手段により使用されたフィルタモジュールを特定するためのフィルタ情報を保存する履歴保存手段から、保存された前記フィルタ情報を読み出して前記印刷データに添付するフィルタ再指定手段と
を備えることを特徴とする情報処理装置。
【請求項１９】
印刷データに添付されたフィルタ情報により特定されるフィルタモジュールを用いて当該印刷データの変換処理を行う変換処理手段を備えた印刷装置に対して印刷データを渡して印刷を行わせる情報処理装置であって、
前記変換処理手段により使用されたフィルタモジュールを特定するためのフィルタ情報を保存する履歴保存手段から、保存された前記フィルタ情報を読み出して前記印刷データに添付することを特徴とする情報処理装置。
【請求項２０】
印刷装置に印刷データを渡して印刷を行わせるための情報処理方法であって、
変換処理手段が、印刷データに添付されたフィルタ情報により特定されるフィルタモジュールを用いて当該印刷データの変換処理を行う変換処理工程と、
再指定手段が、前記変換処理工程により使用されたフィルタモジュールを特定するためのフィルタ情報を保存する履歴保存手段から、保存された前記フィルタ情報を読み出して前記印刷データに添付するフィルタ再指定工程と
を備えることを特徴とする情報処理方法。
【請求項２１】
印刷データに添付されたフィルタ情報により特定されるフィルタモジュールを用いて当該印刷データの変換処理を行う変換処理手段を備えた印刷装置に対して印刷データを渡して印刷を行わせるための情報処理方法であって、
前記変換処理手段により使用されたフィルタモジュールを特定するためのフィルタ情報を保存する履歴保存手段から、保存された前記フィルタ情報を読み出して前記印刷データに添付することを特徴とする情報処理方法。
【請求項２２】
保存された印刷データに対して保持された印刷設定を適用するホットフォルダを含む印刷システムであって、
情報処理装置のプリンタドライバのドライバフィルタを取得する第１の取得手段と、
印刷装置のデバイスフィルタを取得する第２の取得手段と、
前記第１の取得手段で取得したドライバフィルタと前記第２の取得手段で取得したデバイスフィルタの組み合わせを編集するフィルタ編集手段と、
保存された前記印刷データに対して保持された前記印刷設定を適用して印刷装置に送るホットフォルダとを備え、
前記フィルタ編集手段は、前記第１の取得手段により取得した前記ドライバフィルタと前記第２の取得手段により取得した前記デバイスフィルタの中から、使用するフィルタと不使用のフィルタを選択して編集することを特徴とする印刷システム。
【請求項２３】
保存された印刷データに対して保持された印刷設定を適用するホットフォルダを含む印刷システムの制御方法であって、
第１の取得手段が、情報処理装置のプリンタドライバのドライバフィルタを取得する第１の取得工程と、
第２の取得手段が、印刷装置のデバイスフィルタを取得する第２の取得工程と、
フィルタ編集手段が、前記第１の取得工程で取得したドライバフィルタと前記第２の取得工程で取得したデバイスフィルタの組み合わせを編集するフィルタ編集工程と、
ホットフォルダが、保存された前記印刷データに対して保持された前記印刷設定を適用して印刷装置に送るホットフォルダ処理工程とを備え、
前記フィルタ編集工程では、前記第１の取得工程で取得した前記ドライバフィルタと前記第２の取得工程で取得した前記デバイスフィルタの中から、使用するフィルタと不使用のフィルタを選択して編集することを特徴とする方法。
【手続補正２】
【補正対象書類名】明細書
【補正対象項目名】００１０
【補正方法】変更
【補正の内容】
【００１０】
あるいは、印刷データに添付されたフィルタ情報により特定されるフィルタモジュールを用いて当該印刷データの変換処理を行う変換処理手段を備えた印刷装置に対して印刷データを渡して印刷を行わせる情報処理装置であって、
前記変換処理手段により使用されたフィルタモジュールを特定するためのフィルタ情報を保存する履歴保存手段から、保存された前記フィルタ情報を読み出して前記印刷データに添付することを特徴とする。
あるいは、保存された印刷データに対して保持された印刷設定を適用するホットフォルダを含む印刷システムであって、
情報処理装置のプリンタドライバのドライバフィルタを取得する第１の取得手段と、
印刷装置のデバイスフィルタを取得する第２の取得手段と、
前記第１の取得手段で取得したドライバフィルタと前記第２の取得手段で取得したデバイスフィルタの組み合わせを編集するフィルタ編集手段と、
保存された前記印刷データに対して保持された前記印刷設定を適用して印刷装置に送るホットフォルダとを備え、
前記フィルタ編集手段は、前記第１の取得手段により取得した前記ドライバフィルタと前記第２の取得手段により取得した前記デバイスフィルタの中から、使用するフィルタと不使用のフィルタを選択して編集することを特徴とする。